(57)【要約】      （修正有）【課題】カラオケにおいて、歌唱者自身が操作をして、必要なタイミングで必要な歌詞をイヤホンを通して聴覚で取得できる携帯型録音再生装置を提供する。【解決手段】再生モードでは指で押し込むと一時停止状態になり、指を離すと再生を再開し、押したまま左に廻すと曲の始めに戻り、右に廻すと次の曲の始めに進み、指を離すと元の中心位置に自動的に戻り、同時に再生を再開する機能を持つ。ポーズ・リセット・スライド釦Ａは上に移動させると標準スピードの倍速スピードとなり、下に移動させると半速スピードとなるように調整でき、指を離せば元の標準スピードに自動的に戻る機能を持つ。スピード・コントロール釦Ｃを備え、両方の釦を片手の親指だけで自由に操作できる。手の平に収まる大きさの携帯型録音再生機に、歌詞を朗読しながら録音し、カラオケに合わせてスピードを調整して再生し、イヤホンを通して聞こえてくる歌詞を聞きながら歌う。【選択図】図１
0003120413.tif 000002
【実用新案登録請求の範囲】
【請求項１】
通常の録音・再生機能があり、イアホンでも聞くことの出来る携帯型デジタルＩＣ式録音再生機器において、その再生モードの状態では、指で押し込むと一時停止の状態になり、指を離すと再生を再開し、しかも押したまま左に廻すと曲の始めに戻り右に廻すと次の曲の始めに進み、指を離すと元の中心位置に自動的に戻り、同時に再生を再開するような機能を持つポーズ・リセット・スライド釦と、標準スピードを挟んで上に移動させると倍速スピードとなり下に移動させると半速スピードとなるようにその再生スピードを自由に調整できしかも指を離せば常に元の標準スピードに自動的に戻るような機能を持つスピード・コントロール釦の両方を片手の親指一つで自由に操作出来るように、手の平に収まる本体サイズの長方形箱型又はそれに類した形状のデジタルＩＣ式録音再生装置。
【請求項２】
通常の録音・再生機能があり、イアホンでも聞くことの出来る携帯型ディスク式録音再生機器において、その再生モードの状態では、指で押し込むと一時停止の状態になり、指を離すと再生を再開し、しかも押したまま左に廻すと曲の始めに戻り右に廻すと次の曲の始めに進み、指を離すと元の中心位置に自動的に戻り、同時に再生を再開するような機能を持つポーズ・リセット・スライド釦と、標準スピードを挟んで上に移動させると倍速スピードとなり下に移動させると半速スピードとなるようにその再生スピードを自由に調整できしかも指を離せば常に元の標準スピードに自動的に戻るような機能を持つスピード・コントロール釦の両方を片手の親指一つで自由に操作出来るように、手の平に収まるサイズの長方形箱型又はそれに類した形状のリモート・コントローラーが装備されたディスク方式録音再生装置。
【請求項３】
通常の録音・再生機能があり、イアホンでも聞くことの出来る携帯式録音再生機器に於いて、その再生モードの状態では、指で押し込むと一時停止の状態になり、押したままで左に廻すと巻き戻し状態に、押したまま元の位置に戻すと一時停止に戻り、さらに指を離すと再生を再開し、又、指で押し込んで右に廻すと先送り状態に、押したまま元の位置に戻すと一時停止に戻り、指を離すと再生を再開するような機能もつポーズ・リワード・フォワード釦と標準スピードを挟んで上に移動させると倍速スピードとなり下に移動させると半側スピードとなるようにその再生スピードを自由に調整できしかも指を離せば常に元の標準スピードに自動的に戻るような機能を持つスピード・コントロール釦の両方を片手の親指一つで自由に操作出来るように、手に平に収まるサイズの長方形箱型又はそれに類した形状のリモート・コントローラーが装備されたテープ式録音再生装置。
【請求項４】
請求項１・請求項２・請求項３で述べたポーズ・リセット・スライド釦或いはポース・リワード・フォワード釦とスピード・コントロール釦それぞれの設置場所位置関係が、請求項１で述べたデジタルＩＣ録音再生装置においても請求項２・請求項３で述べた各形式録音再生装置のリモート・コントロール部分においても、握り締めた片手の中で唯一自由に動かせる親指で、この二つの釦を必要に応じて交互に自由に操作出来るようにポーズ・リセット・スライド釦或いはポーズ・リワード・フォワード釦は各々の頭部側面にスピード・コントロール釦は各々の表面の頭部よりに設計された携帯式録音再生装置（図１＆図２＆図３参照）。
【考案の詳細な説明】
【技術分野】
【０００１】  本考案は携帯式音声記録再生機器に関するものである。
【背景技術】
【０００２】  従来のカラオケ装置は、歌詞カード、或いは画面に映し出された歌詞を見ながら歌うように設定されている。すなわち、視覚に頼った歌詞の収得である。
【考案の開示】
【考案が解決しょうとする課題】
【０００３】  カラオケの発明により、それまでの歌を聞く楽しみから自らマイクをもって歌う楽しみへと変ってきた。いわゆる一億総歌手と云われるカラオケ文化の発展である。それとともに単にカラオケ・ボックスやカラオケ喫茶でカラオケの画面を見ながら歌うだけでは物足りなくなり、その歌唱力を競うためにカラオケ大会に出て審査をしてもらったり、各種慰問等でプロ歌手の如く歌ったりするカラオケ愛好者が著しく増加した。ところが、こういう舞台で歌う場合は、基本的に歌詞カードや歌詞の表示された画面をみて歌うことは許されない。さりとて、大勢の観客の前で歌うというプレッシャーの中では、プロ歌手のように、その歌詞を正確に丸暗記して歌うことは至難の業である。特に、年とともにその記憶力が衰えてゆく高年齢層にとっては苦痛でさえある。
【０００４】  他方、画面に映し出される歌詞を見ながら歌うカラオケ・システムでは視力に不自由な人々にとっても、やはりその歌詞を丸暗記しなければならない。ところが、正確に丸暗記できる曲数にはおのずと限度がある。そして、それだけ、その楽しみも制限される。
【０００５】  ところで、従来の音声によるカラオケ歌詞ガイド装置は、カラオケ曲再生とその歌詞再生機能が同一機械に装置されている。しかし、不特定多数参加形式のカラオケ大会等では主催者側の用意したカラオケ再生装置を使用するしかない。音源は持ち込めても音響装置は持ち込めない。即ち、カラオケ伴奏音響と歌詞再生音源が同一の装置は使用出来ない。
【課題を解決するための手段】
【０００６】  歌詞の丸暗記というこの悩みを解決するためには、人知れずこっそりとその歌い手が耳からイアホン経由で次々とその歌詞を得るような装置があればよいのである。しかも、第三者の音響係の手により、主催者の準備した音響装置で任意に会場に流されるカラオケに対して、歌唱者自身が操作出来て、必要なタイミングで必要な語句だけを次々と片方の耳よりイアホン経由で教えてくれる歌詞再生装置があればよいのである。いわゆる、その歌詞を視覚でなく聴覚で収得すれば良いのである。しかも、観客に悟られないように出来るだけ小さな携帯型録音再生装置。
【０００７】  具体的には、まずその歌唱に使用する市販又は手作りのカラオケ録音媒体（テープ・ＭＤ・ＣＤ等）を別途用意した再生機器で再生し、それを片方の耳からイアホンで聞きながら、当実用新案の元に作られた録音再生機器で、その歌詞の各フレーズ（ワン・ブレスで歌う歌詞部分が目安）を、夫々その歌い始めに合わせて、歌う代わりに、朗読しながら録音する。この朗読のみの録音については、その朗読開始の直前に録音開始することが望ましい。そうすれば、その様にして当該録音・再生機器にて録音された朗読録音媒体は、当然ながら、その再生においても、頭出し・一時停止の状態でその解除と同時に朗読が開始されることになる。
【０００８】  さて、その歌唱に於いては、歌詞朗読録音媒体に接続された携帯式録音再生機器に繋がれたイアホンを片方の耳に装着し、その本体（請求項１）又はリモコン（請求項２・請求項３）を片手の手の平に隠れるように包み持つ。そして再生モード・スイッチ・オンにしたうえで、リセット・一時停止の状態で、その再生を待つ。
【０００９】  いよいよ自身の持ち込んだ音源が、第三者の準備した音響で、その音響係の意思都合により任意にスタートされ会場に流される当該カラオケ（伴奏）媒体のイントロをイアホンで塞がれてない方の耳で聞きながら、歌唱開始１小節（４分の４拍子の場合）ないしは２小節（４分の３拍子の場合）前の時点（ワン・ブレスで歌える歌詞＝ワン・フレーズ）を目安にしてポーズ・リセット・スライド釦或いはポーズ・リワード・フォワード釦の指を離し一時停止を解除して歌詞録音媒体の再生をはじめる。そしてイアホンから聞こえてくるこの歌詞朗読の最初のフレーズを聞きながら、もう片方の耳から聞こえてくるカラオケの伴奏にあわせてその歌唱を開始するのである。ところが、この歌詞朗読録音媒体の再生スタートを、第三者の任意によってスタートされるカラオケのイントロを聞きながら、歌唱開始直前の正しいタイミングに合わせることは以外と難しい。誤って歌い始めより１小節或いは２小節より以前でポーズ・リセット・スライド釦或いはポーズ・リワード・フォワード釦から指を離して再生させた場合は、もう一度これらのボタンでリセット・再生或いはポーズ・リワードをやり直す。このためにこそ、一時停止機能のついたこのポーズ・リセット・スライド釦或いはポーズ・リワード・フォワード釦が必要なのである。
【００１０】  細かいリズムのあるカラオケに乗って正しく歌い始めるためには、それに先んじて早くもなく遅くもなく、正確にこの歌詞朗読録音媒体をスタートさせなければならない。ところが、第三者が任意にスタートするそのカラオケにタイミングよく合わせてこれをスタートさせるのは容易ではない。この為に、再生後さらに前後の微調整をしてさらにタイミングを合わせなければならない。そしてそのために必要なのがこのスピード・コントロール釦なのである。このように、第三者の手によって任意にスタートされたカラオケのイントロを聞きながら、歌い始めに間に合うようにタイミングを正確に合わせて歌詞録音媒体を事前スタートさせるためには、このポーズ・リセット・スライド釦或いはポーズ・リワード・フォワード釦とスピード・コントロール釦が必要不可欠である。
【考案の効果】
【００１１】  従来の、譜面あるいは画面で示されたその歌詞を見ながら歌うという手法から、イアホンを通して片方の耳から聞こえてくる歌詞を聞きながら歌うことにより、プロ歌手と同じように、自由な目線・姿勢・舞台位置で自由な歌の表現ができます。さらには、直前にハッキリと必要な歌詞が片方の耳からイアホンを通して次々と聞こえてくるので、歌詞忘れの不安がなく、その歌唱に集中できる。それにもまして特筆すべきは、何らかの理由で視力に問題があり、歌詞カードや画面を見ながら歌唱することがままならない方々にこそ、歌詞の丸暗記の心配なく、耳から聞こえてくる歌詞を聞きながら、好きな曲を自由に歌うことができる手段を提供することができるのである。
【考案を実施するための最良の形態】
【００１２】  音響係である第三者が任意にスタートしたカラオケに、片方の耳からイアホンを通して聞く歌詞朗読媒体のスタートをタイミング良く合わせることは相当に困難である。そのためには、歌詞朗読媒体を速くスタートし過ぎたときはその分遅く、反対に遅れてスタートし過ぎたときはその分速くすることにより、先行してイアホンから聞こえる歌詞朗読と会場から聞こえるカラオケに合わせて歌いだせるように相対的タイミングを合わせる必要がある。しかも、そのポーズ・リセット・スライド釦或いはポーズ・リワード・フォワード釦によるおおまかなタイミング合わせと、スピード・コントロール釦によるその微調整の両方が必要不可欠なのである。そして、そのことを特徴とするカラオケ歌詞再生装置である。
【実施例】
【００１３】  予め準備した歌詞朗読を録音した携帯式ＩＣデジタル録音再生機器、ディスク式携帯録音再生機器或いはテープ式携帯録音再生機器でのイアホンを片方の耳に装着し、その本体またはリモート・コントローラーを手の平に持ち、再生オンの状態にし、ポーズ・リセット・スライド・ボタン或いはポーズ・リワード・フォワード釦を押して左に廻して、いわゆるスタートから再生のための一時停止状態にしたままで歌唱態勢に入る。いよいよ舞台に進みマイクを他方の手に持ち、その間、第三者の手で任意にスタートされスピーカーから流されるカラオケのイントロを聞きながら、歌い出しにちょうど良いタイミングでその歌詞朗読が先行するように手の平にある本体又はそのリモコンのポーズ・リセット・スライド釦或いはポーズ・リワード・フォワード釦から指を離す。さらに、スピード・コントロール釦で歌い易いようにその再生の前後を微調整する。そしてそのタイミングが合った時点で再生スピード・コントロール釦から手を離す。すると、自動的にノーマル・スピードに戻る。後はノーマル・スピードのままで再生し続ければよい。その曲を歌い終わるまで再調整の必要はない。
【図面の簡単な説明】
【００１４】
【図１】「当実用新案で提案した“ポーズ・リセット・スライド”釦と“スピード・コントロール”釦の装置された請求項１の携帯式ＩＣデジタル録音再生機器の立体図である。」
【図２】「当実用新案で提案した“ポーズ・リセット・スライド”釦と“スピード・コントロール”釦の装置されたリモート・コントローラーの装備された請求項２の携帯式ディスク録音再生機器の立体図である。」
【図３】「当実用新案で提案した“ポーズ・リワード。フォワード”釦と“スピード・コントロール”釦の装置されたリモート・コントローラーの装備された請求項３の携帯式テープ式録音再生機器の立体図である。
【符号の説明】
Ａ・・・・ポーズ・リセット・スライド釦
Ｂ・・・・ポーズ・リワード・フォワード釦
Ｃ・・・・スピード・コントロール釦
【図１】
0003120413.tif 000003
【図２】
0003120413.tif 000004
【図３】
0003120413.tif 000005
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
録音・再生機能があり、イアホンでも聞くことの出来る携帯型デジタルＩＣ式録音再生機器において、その再生モードの状態では、指で押し込むと一時停止の状態になり、指を離すと再生を再開し、しかも押したまま左に廻すと曲の始めに戻り右に廻すと次の曲の始めに進み、指を離すと元の中心位置に自動的に戻り、同時に再生を再開するような機能を持つポーズ・リセット・スライド釦と、標準スピードを挟んで上に移動させると倍速スピードとなり下に移動させると半速スピードとなるようにその再生スピードを自由に調整できしかも指を離せば常に元の標準スピードに自動的に戻るような機能を持つスピード・コントロール釦の両方を片手の親指一つで自由に操作出来るように、手の平に収まる本体サイズの長方形箱型のデジタルＩＣ式録音再生装置。
【請求項２】
録音・再生機能があり、イアホンでも聞くことの出来る携帯型ディスク式録音再生機器において、その再生モードの状態では、指で押し込むと一時停止の状態になり、指を離すと再生を再開し、しかも押したまま左に廻すと曲の始めに戻り右に廻すと次の曲の始めに進み、指を離すと元の中心位置に自動的に戻り、同時に再生を再開するような機能を持つポーズ・リセット・スライド釦と、標準スピードを挟んで上に移動させると倍速スピードとなり下に移動させると半速スピードとなるようにその再生スピードを自由に調整できしかも指を離せば常に元の標準スピードに自動的に戻るような機能を持つスピード・コントロール釦の両方を片手の親指一つで自由に操作出来るように、手の平に収まるサイズの長方形箱型のリモート・コントローラーが装備されたディスク方式録音再生装置。
【請求項３】
録音・再生機能があり、イアホンでも聞くことの出来る携帯式録音再生機器に於いて、その再生モードの状態では、指で押し込むと一時停止の状態になり、押したままで左に廻すと巻き戻し状態に、押したまま元の位置に戻すと一時停止に戻り、さらに指を離すと再生を再開し、又、指で押し込んで右に廻すと先送り状態に、押したまま元の位置に戻すと一時停止に戻り、指を離すと再生を再開するような機能もつポーズ・リワード・フォワード釦と標準スピードを挟んで上に移動させると倍速スピードとなり下に移動させると半側スピードとなるようにその再生スピードを自由に調整できしかも指を離せば常に元の標準スピードに自動的に戻るような機能を持つスピード・コントロール釦の両方を片手の親指一つで自由に操作出来るように、手に平に収まるサイズの長方形箱型のリモート・コントローラーが装備されたテープ式録音再生装置。
【請求項４】
請求項１・請求項２・請求項３で述べたポーズ・リセット・スライド釦或いはポーズ・リワード・フォワード釦とスピード・コントロール釦それぞれの設置場所位置関係が、請求項１で述べたデジタルＩＣ録音再生装置においても請求項２・請求項３で述べた各形式録音再生装置のリモート・コントロール部分においても、握り締めた片手の中で唯一自由に動かせる親指で、この二つの釦を必要に応じて交互に自由に操作出来るようにポーズ・リセット・スライド釦或いはポーズ・リワード・フォワード釦は各々の頭部側面にスピード・コントロール釦は各々の表面の頭部よりに設計された携帯式録音再生装置。
【手続補正書】
【提出日】平成17年12月28日(2005.12.28)
【手続補正１】
【補正対象書類名】実用新案登録請求の範囲
【補正対象項目名】全文
【補正方法】変更
【補正の内容】
【実用新案登録請求の範囲】
【請求項１】
録音・再生機能があり、イアホンでも聞くことの出来る携帯型デジタルＩＣ式録音再生機器において、その再生モードの状態では、指で押し込むと一時停止の状態になり、指を離すと再生を再開し、しかも押したまま左に廻すと曲の始めに戻り右に廻すと次の曲の始めに進み、指を離すと元の中心位置に自動的に戻り、同時に再生を再開するような機能を持つポーズ・リセット・スライド釦と、標準スピードを挟んで上に移動させると倍速スピードとなり下に移動させると半速スピードとなるようにその再生スピードを自由に調整できしかも指を離せば常に元の標準スピードに自動的に戻るような機能を持つスピード・コントロール釦の両方を片手の親指一つで自由に操作出来るように、手の平に収まる本体サイズの長方形箱型のデジタルＩＣ式録音再生装置。
【請求項２】
録音・再生機能があり、イアホンでも聞くことの出来る携帯型ディスク式録音再生機器において、その再生モードの状態では、指で押し込むと一時停止の状態になり、指を離すと再生を再開し、しかも押したまま左に廻すと曲の始めに戻り右に廻すと次の曲の始めに進み、指を離すと元の中心位置に自動的に戻り、同時に再生を再開するような機能を持つポーズ・リセット・スライド釦と、標準スピードを挟んで上に移動させると倍速スピードとなり下に移動させると半速スピードとなるようにその再生スピードを自由に調整できしかも指を離せば常に元の標準スピードに自動的に戻るような機能を持つスピード・コントロール釦の両方を片手の親指一つで自由に操作出来るように、手の平に収まるサイズの長方形箱型のリモート・コントローラーが装備されたディスク方式録音再生装置。
【請求項３】
録音・再生機能があり、イアホンでも聞くことの出来る携帯式録音再生機器に於いて、その再生モードの状態では、指で押し込むと一時停止の状態になり、押したままで左に廻すと巻き戻し状態に、押したまま元の位置に戻すと一時停止に戻り、さらに指を離すと再生を再開し、又、指で押し込んで右に廻すと先送り状態に、押したまま元の位置に戻すと一時停止に戻り、指を離すと再生を再開するような機能もつポーズ・リワード・フォワード釦と標準スピードを挟んで上に移動させると倍速スピードとなり下に移動させると半側スピードとなるようにその再生スピードを自由に調整できしかも指を離せば常に元の標準スピードに自動的に戻るような機能を持つスピード・コントロール釦の両方を片手の親指一つで自由に操作出来るように、手に平に収まるサイズの長方形箱型のリモート・コントローラーが装備されたテープ式録音再生装置。
【請求項４】
請求項１・請求項２又は請求項３いずれかの携帯式録音再生装置において述べたポーズ・リセット・スライド釦或いはポーズ・リワード・フオワード釦とスピード・コントロール釦それぞれの設置場所位置関係が、請求項１で述べたデジタルＩＣ録音再生装置においても請求項２・請求項３で述べた各形式録音再生装置のリモート・コントロール部分においても、握り締めた片手の中で唯一自由に動かせる親指で、この二つの釦を必要に応じて交互に自由に操作出来るようにポーズ・リセット・スライド釦或いはポーズ・リワード・フォワード釦は各々の頭部側面にスピード・コントロール釦は各々の表面の頭部よりに設計された携帯式録音再生装置。